(57)【要約】      （修正有）【課題】現在美容院、理容院、養護施設、病院などで使用されている後ろ向き先髪用流し台のボウルには頭部の支持を行うものが何も無いので、洗髪中に頸部障害をもたらす可能性がある。洗髪中の頭部または頸部の損傷を防ぐために、業務用および家庭用後ろ向け洗髪用シャンプー流し台に頭の支える器具を提供する。【解決手段】頭部受け台は、業務用および家庭用後ろ向け洗髪用シャンプー流し台１８の凹部に取り付けられる吸盤付き高さ調整機構部を具備した。【選択図】図６
2007202999.tif 000002
【特許請求の範囲】
【請求項１】
業務用及び家庭用後ろ向け洗髪用シャンプー流し台の頭の支えで、洗髪中の頭部頸部の損傷を防ぐ器具である。
【請求項２】
現在の洗髪用流し台はただのボウルであり後ろ向きに頭部をあずけても、頭部を支えるものが無く頚椎に常時力を入れていなければならない為に疲労と時に頸部の欠陥圧迫の為に貧血を起こすなどの事故が起きている。特に長髪の場合は洗髪時間が長く髪は濡れる事により頭部の重量が増し頸部を痛める確率も高くなる。頭部支持を行う事により頸部に力を入れることも無く快適性も益し障害も防止する事が出来る。
【請求項３】
機具は頭部受け台と高さ調整機構部付本体と化粧台固定吸盤付き可変設置から成っておりそれぞれに機能を所有しているものでありそれが合わさる事により頚骨損傷を防ぐ機具である。
【請求項４】
頭部受け台は人間の後頭部を乗せる部分である。形状は筒状で、ちょうど缶詰の缶を逆さまにした様な形で上部には後頭部を乗せる為に凹面の緩いすり鉢形状をなすものであり上部には後頭部保護の為のパット、或いは衝撃吸収材が張られている。
この受け台は、下部の本体にかぶる形で使用されるものである。
使用素材は樹脂全般と金属全般及び木製全般で何れも耐薬品性塗料或いは耐薬品性加工を施されているものである。これは洗髪時に或いはパーマネントなどを行った後にすすぎ等を行う際、当機械はこれらの薬品に犯されてしまうことになり、耐薬性が求められるものである。
【請求項５】
本体は筒状の形態をしており、頭部受け台を押し上げて微調整できる機構を備えている。材料は頭部支持台と同様の物を使用する。この機構は本体の中に縦方向にのみ伸縮する取り外し式の専用エアバックを装備しておき、手でポンプを握ることにより空気をエアバックに送り込み縦方向にエアバックを膨らませることにより頭部受け台が上がる仕組みになっている。又空気を抜く事により縮小させる事が出来る。装備されたエアバッグの最小及び最大形状まで無段階に伸縮できることが大きな特徴である。この装置は途中の高さ調整が自由に出来るために、どんな後頭部の形状の人間でも頚椎を痛めない角度に適合させることができる。
【請求項６】
本体の側面には水抜き用の穴があけられており、洗髪時の水によるエアバッグの伸縮の妨げとならないようになっている。穴は排水効率が最高値に成るよう任意の場所に開けられている。エアバッグへの空気送り込み用のパイプ穴も同様に開いていてポンプの握り部分に繋がっている。
【請求項７】
本体の底面付近には４箇所以上の脚用の穴が開けられている。この穴には吸盤付の長さの異なる任意の長さの脚が入れられる。これは、化粧台のボウルのアールや深さなどの種類が沢山あり１つの規格の脚ではボウルに固定したときに、大きく斜めに向いたりして役にたたなくなる為で、４箇所以上のそれぞれの脚の長さを自由に変更する事により解決が可能となる。
【請求項８】
脚は頭部支持台と同様の素材を使用して作られているもので、片側に強力な吸盤を装着している。この吸盤がボウルに吸い付き、器具のずれを防ぎ本体を支える。
棒の長さは色々あり、使用されるボウルに従い任意の長さのものを使用する。
棒のもう一方は本体に設けられた４箇所以上の複数の穴に差込み固定する。
棒は各種ボウルのカーブに沿って合うように長短数種類のものを用意しておくことにより、おおむねどの規格のものでも適合可能とすることが出来る。
大きく深さのあるものに対応する為に、脚は途中ネジ式で折り曲げが自由なものがあり、ボウルの側面にも脚が吸着可能なものにする。
【発明の詳細な説明】
【技術分野】
【０００１】    現在の後ろ向き洗髪用のシャンプー台は頸部を台の淵に載せ顔面が上を向く形となるが頭部の支えがない為に頸部に力が入り不快なものに成っている。又、特に女性の場合は洗髪のみならず、トリートメントやパーマネント液の洗浄など数回に渡り長時間この状態にさらされることとなり、頸部損傷や貧血による卒倒などが多発する事故が報告されており、これを解決する為に頭部の支持ができる台が有効であり、本発明は台とともにその機能が高さを無段階で調整が出来る事を特徴としている。どんな形状の後頭部をもった人が載せても対応が可能である。高さ調整の機構はエアバッグを使用するために機械と違い油を伴ったり、ギヤーやモーターがない為に漏電や油汚れや髪の毛の巻き込みなどの事故が全くないものである。脚部は４点以上の多支点で高さ調整が出来るためにほとんどの市販のボウルの曲面に対応が可能なものである。
【背景技術】
【０００２】    上部頭支持台は筒状になっており中空で本体の上に被せる様に設置される。天面は人間の後頭部が乗る部分で大きな緩やかなカーブが凹形に施されており、おおむね人の後頭部が違和感なく収置できるが、いわゆる絶壁形状やコブ形の頭の場合を考慮し上部には低反発のマットやウレタンマットなどを乗せて使用することが出来る。【０００３】    本体の中にはエアバッグが入っており入れ換えが自由である。このエアバッグは縦方向にのみ膨らむもので、エアバッグより延びているパイプの先端の握りを握る事により空気を送り込み、頚椎と頭部がおおむね平行となるよう無段階で高さの調整を可能としたものである。握りボウルのエア・バルブを閉め握る事により空気が送り出されエアバッグが縦方向にふくらみ上蓋を押し上げ無段階調整を行う。手元の握りボウルのエアバルブを開く事により空気を排出しエアバッグを縮小させる。【０００４】    本体には複数の穴が任意に開けられている。これは本体に入った水を抜く水抜き穴である。本器具は水や水性薬品にさらされて使用されるために水抜き穴が必要と成る。【０００５】    本体の側面から底部にかけて４箇所以上の脚部支えがあり、ここにボウル面設置の為の着脱可能な脚部を取り付けてどのようなボウルの形状にも対応可能なものとする。
例えばボウルのＲ面傾斜が急な場合手前には短い脚を、奥には長い脚を取り付けることにより頭部に平行な高さに器具を設置する事が可能である。折り曲げ脚を装着すれば深い急角度のボウルにも対応が出来る。【０００６】    脚は、片側に大型で強力な吸盤を取り付けてあり、ボウルに張り付くものとなる。
片側は、本体の底面に設けられた穴に入れられる部分となる。長さは任意に長短各種用意しておき、該当のボウルの角度に適合するものを使用する。折り曲げ可能脚は間接部分を持ち折りたたみも可能で、急角度の場所にも適応できる。【０００７】    本器具は、耐水及び耐薬品性の素材または耐水及び耐薬品性能を発揮する加工を施された素材で、ゴム・プラスチック類、金属類、木類全般に及ぶ。
【発明の開示】
【発明が解決しようとする課題】
【０００８】    現在多くの美容室では後ろ向きの洗髪化粧台により洗髪を行っているが、ボウル自体には頭部の支えがなく設置してあり化粧台があっても固定式のために高さが変更不可能であり、頸部疲労や欠陥圧迫による貧血などで病院に運ばれるケースも報告されており、厚生労働省でも安全対策の呼びかけを行っている。本発明はこれらを解決するもので、快適な洗髪を行い使用する側も安全に使用できるものにした。従来は頸部と頭部の位置が平行でなく、頭部が下がってしまう為に頸部圧迫で起こっていた事象である。頭部支持を行うことにより圧迫が避けられさらに無段階での高さ調節を実現できる為に幅広い範囲で適用できるものである。
【課題を解決するための手段】
【０００９】    本体に空気伸縮式のエアバッグを装備したことによりエアバッグの伸縮範囲であれば自由に無段階での伸縮が可能である。機械類を使用しないため油汚れや髪の毛のギヤ及びかむなど機構部品類での引き込みなどの事故は全く考えられない。又、電気を使用しないため大敵である漏電事故が無い事も大きな特徴である。脚部に関しては高さや角度が水平になるように脚の入れ子方式となっており機械のアジャスターのように複雑な構造は持たないので保守管理も容易である。脚関節仕様のものは形状を選ばないでの取り付けが可能である。吸盤でボウルに取り付ける為手間がかからず修正も容易である。吸盤は小型でも１枚で１００ｋｇを支える力のあるものも多くあり、一般に頭部の重量が５〜１０ｋｇ程度なので安全面も含め充分な対応が可能である。【００１０】    器具は耐水及び耐薬品用素材若しくは左記を施したあらゆる素材を使用するために安全であり、清掃も容易で清潔が保てる。又、パーツから成り立っているので、消耗部分のみの交換で長期の使用に耐えるものであり経済的である。
【発明の効果】
【００１１】    頚椎圧迫などの症状の訴えは無くなり、これらを原因とする事故は激減すると思われる。
【発明を実施するための最良の形態】
【実施例】
【産業上の利用可能性】
【００１２】    理容・美容院などや介護施設・病院などをはじめ公共施設は安心して導入が可能である。安全であることが実証されれば、スタンダードとして規格化の一翼を担うことも可能である。
【図面の簡単な説明】
【００１３】
【図１】全体図。
【図２】頭部支持台図。
【図３】本体図。
【図４】エアバッグ図。
【図５】脚図及び脚の種類図
【図６】各種ボウルへの装着例図
【符号の説明】
【００１４】１  衝撃吸収部
２  上部カバー
３  本体
４  脚部
５  エアポンプ部
６  衝撃吸収部
７  ケース部
８  本体外装
９  水抜き穴
１０  脚部ホルダー部
１１  エアバック
１２    ホース
１３  手動ポンプ
１４  エアバルブ
１５  主脚
１６  吸盤
１７  リングストッパー
１８  一搬洗髪台
１９  深形洗髪台
【図１】
2007202999.tif 000003
【図２】
2007202999.tif 000004
【図３】
2007202999.tif 000005
【図４】
2007202999.tif 000006
【図５】
2007202999.tif 000007
【図６】
2007202999.tif 000008